(57)【要約】【課題】　アドレスデータ変調方法及び装置、このためのアドレスデータ復調方法及び装置と変調されたアドレスデータが記録された記録媒体とを提供する。【解決手段】　アドレスデータを生成するアドレス生成部と、前記アドレス生成部から入力された前記アドレスデータに応答してエラー訂正のための符号化を行うエラー訂正符号化部と、前記エラー訂正符号化部から少なくとも２ビット以上のデータを１単位として入力されて第１変調方式によって第１変調信号を生成し、第２変調方式によって第２変調信号を生成する変調部と、前記変調部から入力された前記第１変調信号及び前記第２変調信号を合成して単位ウォッブル信号を生成するウォッブル生成部と、を含むことを特徴とするアドレスデータ変調装置である。このようなアドレスデータ変調装置を利用することによってディスクに欠陥が発生してもデータの損失が減少させ、さらに多くのデータをウォッブル形態で記録できてアドレス情報に加えられる情報量を増加させうる。【選択図】　　　図２
2004079160.tif 000002
【特許請求の範囲】
【請求項１】
　（ａ）アドレスデータを生成する段階と、
　（ｂ）前記アドレスデータのエラー訂正のための符号化する段階と、
　（ｃ）前記符号化されたアドレスデータのうち少なくとも２ビット以上を１単位として第１変調方式によって第１変調信号を生成し、第２変調方式によって第２変調信号を生成する段階と、
　（ｄ）前記第１変調信号及び前記第２変調信号を合成して単位ウォッブル信号を生成する段階と、を含むことを特徴とするディスク型記録媒体のアドレスデータ変調方法。
【請求項２】
　前記（ｃ）段階は、前記第１変調方式によってデータビットに対応する各々の信号を生成して前記第１変調信号を生成し、前記第２変調方式によって前記データビットに対応する各々の信号を生成して前記第２変調信号を生成することを特徴とする請求項１に記載のディスク型記録媒体のアドレスデータ変調方法。
【請求項３】
　前記（ｃ）段階は、前記第１変調方式によってデータビット値が第１データビット値なら所定のパターン信号を生成し、第２データビット値なら前記パターン信号を生成せずに前記第１変調信号を生成し、前記第２変調方式によって前記データビットに対応する各々の信号を生成して前記第２変調信号を生成することを特徴とする請求項１に記載のディスク型記録媒体のアドレスデータ変調方法。
【請求項４】
　前記（ｃ）段階は、前記第１変調方式によってデータビットを示す信号間を区分する信号を生成して前記第１変調信号を生成し、前記第２変調方式によって少なくとも２ビット以上のデータビット別に長さが相異なる信号を生成して前記第２変調信号を生成することを特徴とする請求項１に記載のディスク型記録媒体のアドレスデータ変調方法。
【請求項５】
　前記（ｃ）段階は、前記第１変調方式によって少なくとも２ビット以上のデータビットを示す同じパターンの信号を少なくとも２つ以上生成して前記第１変調信号を生成し、前記第２変調方式によってデータビットを示す信号間を区分する信号を少なくとも２つ以上生成して前記第２変調信号を生成し、
　前記（ｄ）段階は、前記同じパターンの信号を所定の位置に配置し、前記データビットを示す信号間を区分する信号をその間に配置して、前記同じパターンの信号の位置情報によって前記データビット値を示すことを特徴とする請求項１に記載のディスク型記録媒体のアドレスデータ変調方法。
【請求項６】
　前記（ｄ）段階は、前記第１変調信号及び前記第２変調信号を隣接配置して前記単位ウォッブル信号を生成することを特徴とする請求項２に記載のディスク型記録媒体のアドレスデータ変調方法。
【請求項７】
　前記（ｄ）段階は、前記第１変調信号及び前記第２変調信号をデータビットを示す各々の信号単位で相互混ぜて前記単位ウォッブル信号を生成することを特徴とする請求項２に記載のディスク型記録媒体のアドレスデータ変調方法。
【請求項８】
　前記（ｃ）段階は、
　（ｃ１）前記第２変調方式によって前記データビットに対応する各々の信号を生成する段階と、をさらに含むことを特徴とする請求項４に記載のディスク型記録媒体のアドレスデータ変調方法。
【請求項９】
　前記（ｃ）段階は、
　（ｃ２）前記第１変調方式、前記第２変調方式または第３変調方式のうち一つによってデータビットスタートを示す信号を生成する段階と、をさらに含むことを特徴とする請求項２ないし５のうち何れか一項に記載のディスク型記録媒体のアドレスデータ変調方法。
【請求項１０】
　前記第１変調方式はＢＰＳＫであり、前記第２変調方式はＦＳＫであることを特徴とする請求項２ないし５のうち何れか一項に記載のディスク型記録媒体のアドレスデータ変調方法。
【請求項１１】
　アドレスデータを生成するアドレス生成部と、
　前記アドレス生成部から入力された前記アドレスデータに応答してエラー訂正のための符号化を行うエラー訂正符号化部と、
　前記エラー訂正符号化部から少なくとも２ビット以上のデータを１単位として入力されて第１変調方式によって第１変調信号を生成し、第２変調方式によって第２変調信号を生成する変調部と、
　前記変調部から入力された前記第１変調信号及び前記第２変調信号を合成して単位ウォッブル信号を生成するウォッブル生成部と、を含むことを特徴とするディスク型記録媒体のアドレスデータ変調装置。
【請求項１２】
　前記変調部は、
　前記第１変調方式によってデータビットに対応する各々の信号を生成して前記第１変調信号を生成する第１変調部と、
　前記第２変調方式によって前記データビットに対応する各々の信号を生成して前記第２変調信号を生成する第２変調部と、を含むことを特徴とする請求項１１に記載のディスク型記録媒体のアドレスデータ変調装置。
【請求項１３】
　前記変調部は、
　前記第１変調方式によってデータビット値が第１データビット値なら所定のパターン信号を生成し、第２データビット値なら前記パターン信号を生成せずに前記第１変調信号を生成する第１変調部と、
　前記第２変調方式によって前記データビットに対応する各々の信号を生成して前記第２変調信号を生成する第２変調部と、を含むことを特徴とする請求項１１に記載のディスク型記録媒体のアドレスデータ変調装置。
【請求項１４】
　前記変調部は、
　前記第１変調方式によってデータビットを示す信号間を区分する信号を生成して前記第１変調信号を生成する第１変調部と、
　前記第２変調方式によって少なくとも２ビット以上のデータビット別に長さが相異なる信号を生成して前記第２変調信号を生成する第２変調部と、を含むことを特徴とする請求項１１に記載のディスク型記録媒体のアドレスデータ変調装置。
【請求項１５】
　前記変調部は、
　前記第１変調方式によって少なくとも２ビット以上のデータビットを示す同じパターンの信号を少なくとも２つ以上生成して前記第１変調信号を生成する第１変調部と、
　前記第２変調方式によってデータビットを示す信号間を区分する信号を少なくとも２つ以上生成して前記第２変調信号を生成する第２変調部と、を含み、
　前記ウォッブル生成部は、前記第１変調部から生成された信号を所定の位置に配置し、前記第２変調部から生成された信号をその間に配置して、
　前記第１変調部から生成された信号の位置情報によって前記データビット値を示すことを特徴とする請求項１１に記載のディスク型記録媒体のアドレスデータ変調装置。
【請求項１６】
　前記ウォッブル生成部は、前記第１変調信号及び前記第２変調信号を隣接配置して前記単位ウォッブル信号を生成することを特徴とする請求項１２に記載のディスク型記録媒体のアドレスデータ変調装置。
【請求項１７】
　前記ウォッブル生成部は、前記第１変調信号及び前記第２変調信号をデータビットを示す各々の信号単位として相互混ぜて前記単位ウォッブル信号を生成することを特徴とする請求項１２に記載のアドレスデータ変調装置。
【請求項１８】
　前記第２変調部は、前記第２変調方式によって前記データビットに対応する各々の信号をさらに生成することを特徴とする請求項１４に記載のディスク型記録媒体のアドレスデータ変調装置。
【請求項１９】
　前記第１変調部は、前記第１変調方式、前記第２変調方式または第３変調方式のうち一つによってデータビットスタートを示す信号をさらに生成することを特徴とする請求項１２ないし１５のうち何れか一項に記載のディスク型記録媒体のアドレスデータ変調装置。
【請求項２０】
　前記第１変調部の前記第１変調方式はＢＰＳＫであり、前記第２変調部の前記第２変調方式はＦＳＫであることを特徴とする請求項１２ないし１５のうち何れか一項に記載のディスク型記録媒体のアドレスデータ変調装置。
【請求項２１】
　（ａ）少なくとも２ビット以上のデータを１単位として第１変調方式及び第２変調方式によって各々変調されて合成された単位ウォッブル信号を前記第１変調方式で変調された信号は第１復調方式によって前記データを復調し、前記第２変調方式で変調された信号は第２復調方式によって前記データを復調する段階と、
　（ｂ）前記第１復調方式によって復調されたデータ及び前記第２復調方式によって復調されたデータによってデータを決定する段階と、
　（ｃ）前記第１復調方式によって復調されたデータ及び前記第２復調方式によって復調されたデータが一致しなければ、一致しないデータに対応するイレイザフラグを発生させる段階と、
　（ｄ）前記（ｂ）段階でのデータ及び前記（ｃ）段階でのイレイザフラグによってエラー訂正復号化してアドレスデータを決定する段階と、を含むことを特徴とするディスク型記録媒体のアドレスデータ復調方法。
【請求項２２】
　前記（ａ）段階は、前記第１復調方式によって所定のパターン信号が存在すれば第１データビット値に復調し、前記所定のパターン信号が存在しなければ第２データビット値に復調し、前記第２復調方式によってデータビット値を各々復調することを特徴とする請求項２１に記載のディスク型記録媒体のアドレスデータ復調方法。
【請求項２３】
　前記第１復調方式はＢＰＳＫであり、前記第２復調方式はＦＳＫであることを特徴とする請求項２１または２２に記載のディスク型記録媒体のアドレスデータ復調方法。
【請求項２４】
　少なくとも２ビット以上のデータを１単位として第１変調方式及び第２変調方式によって各々変調されて合成された単位ウォッブル信号を入力されて、前記第１変調方式で変調された信号は第１復調方式によって前記データを復調し、前記第２変調方式で変調された信号は第２復調方式によって前記データを復調するウォッブル信号復調部と、
　前記第１復調方式によって復調されたデータ及び前記第２復調方式によって復調されたデータによってデータを決定し、前記第１復調方式によって復調されたデータ及び前記第２復調方式によって復調されたデータが一致しなければ、一致しないデータに対応するイレイザフラグを発生させるデータ決定部と、
　前記データ決定部から前記決定されたデータ及び前記イレイザフラグを入力されてエラー訂正復号化してアドレスデータを出力するエラー訂正復号部と、を含むことを特徴とするディスク型記録媒体のアドレスデータ復調装置。
【請求項２５】
　前記ウォッブル信号復調部は、
　前記第１復調方式によって前記データを復調する第１復調部と、
　前記第２復調方式によって前記データを復調する第２復調部と、を含むことを特徴とする請求項２４に記載のディスク型記録媒体のアドレスデータ復調装置。
【請求項２６】
　前記ウォッブル信号復調部は、
　前記第１復調方式によって所定のパターン信号が存在すれば第１データビット値に復調し、前記所定のパターン信号が存在しなければ第２データビット値に復調する第１復調部と、
　前記第２復調方式によってデータビット値を復調する第２復調部と、を含むことを特徴とする請求項２４に記載のディスク型記録媒体のアドレスデータ復調装置。
【請求項２７】
　前記第１復調方式はＢＰＳＫであり、前記第２復調方式はＦＳＫであることを特徴とする請求項２４ないし２６のうち何れか一項に記載のディスク型記録媒体のアドレスデータ復調装置。
【請求項２８】
　請求項１ないし８のうち何れか一項に記載のアドレスデータ変調方法によって変調されたアドレスデータがウォッブル形態で記録されたディスク型記録媒体。
【請求項２９】
　請求項１ないし８のうち何れか一項に記載のアドレスデータ変調方法を実現させるためのプログラムを記録したコンピュータで読取れる記録媒体。
【請求項３０】
　請求項２４ないし２６のうち何れか一項に記載のアドレスデータ復調方法を実現させるためのプログラムを記録したコンピュータで読取れる記録媒体。
【発明の詳細な説明】
【技術分野】
【０００１】
　本発明はアドレスデータ変調方法及び装置及びこのためのアドレスデータ復調方法及び装置に係り、特にディスク型記録媒体にデータが記録されたアドレス情報であるアドレスデータをウォッブル形態に変調してディスクのトラックを成形するためのアドレスデータ変調方法及び装置とこのためのアドレスデータ復調方法及び装置とに関する。
【背景技術】
【０００２】
　コンパクトディスク（ＣＤ）のような初期ディスク型記録媒体のアドレス情報は、保存しようとするデータのベッダ部分のディスクトラック上に記録された。
【０００３】
　一方、最近にはアドレス情報をウォッブル変調してウォッブル信号を生成した後、ディスクのトラックをウォッブル信号と同じ形態に成形することによってアドレス情報を記録する方法が開発された。ウォッブル変調の方法ではＭＷ（Ｍｏｎｏｔｏｎｅ　Ｗｏｂｂｌｅ）、ＳＴＷ（Ｓａｗ　Ｔｏｏｔｈ　Ｗｏｂｂｌｅ）、ＢＰＳＫ（Ｂｉｎａｒｙ　Ｐｈａｓｅ　Ｓｈｉｆｔ　Ｋｅｙｉｎｇ）及びＦＳＫ（Ｆｒｅｑｕｅｎｃｙ　Ｓｈｉｆｔ　Ｋｅｙｉｎｇ）の方法がある。アドレス情報をウォッブル変調する方法はモータ速度制御のディスク抑制の側面で利点があると知られている。
【０００４】
　図１は、従来のウォッブル形態に成形されたディスクトラック及びトラック上に形成されたピットの一実施例を説明するための図である。単一周波数のサイン波でアドレス情報を変調するＭＷ方式によって生成されたウォッブル信号と同じ形態にトラックが成形されており、トラックの中心にピットが形成されている。一つのアドレスに当る多数のピットの集合を１記録データブロックという。一方、１記録データブロックにある程度の分量のデータを記録するかによって１記録データブロックの長さが決定され、そのデータブロックが存在するトラックの長さも当然同一になる。トラックに成形されて一つのアドレスを示すウォッブル信号は普通一つのデータブロックの長さと同じ長さを有させる。また、従来アドレス情報のウォッブル変調方法はアドレス情報やその他の付加情報を１ビットずつ所定個数のキャリヤ信号に変調して単位ウォッブル信号を生成した後、単位ウォッブル信号をディスクのトラックに成形する。例えば、単位ウォッブル信号は５６個のキャリヤ信号で変調されて１ビットのデータを示す。
【０００５】
　最近の高密度ＤＶＤ規格では、ウォッブル形態にディスクに成形された一つのアドレス当り６４キロバイトの情報を記録するが、もし一つのアドレス情報に欠陥が生じれば６４キロバイトの情報が損失される。数十ギガバイトの情報を記録しうる高密度ディスクの場合にはこの程度の情報損失は特別な問題とならないが、データ記録の容量が小さなディスクの場合には６４キロバイトの情報損失は小さな問題ではない。このような問題を解決するためには一つのアドレス当り記録されるデータ量を減らす方法を考えうる。しかし、このような方法はデータ量が減少すれば当然に１記録データブロックの長さも短くなる反面、一つのアドレスを示すウォッブル信号の長さは変わらないためにアドレス及びそのアドレスに当るデータの長さが一致しない問題が生じる。また、減少した１記録データブロックの長さに合せて１アドレスを示すウォッブル信号の長さを単純に減らす方法は単位ウォッブル信号当り１ビットを記録する従来の方法では一つのアドレス情報も記録できない問題点がある。
【０００６】
【特許文献１】特開平１１−２５４６０号公報
【発明の開示】
【発明が解決しようとする課題】
【０００７】
　前述した問題点を解決するために本発明が解決しようとする技術的課題は、一つの単位ウォッブル信号当り少なくとも２ビット以上のデータを変調して記録することによってアドレス情報を示すウォッブル信号が成形されるディスクトラック上の物理的長さを減少させてディスクに欠陥が発生してもデータの損失が減少させ、さらに多くのデータをウォッブル形態に記録できるアドレスデータ変調方法及び装置を提供することである。
【０００８】
　本発明が解決しようとする他の技術的課題は、ディスクに欠陥が発生してもデータの損失を減少させうるアドレスデータ復調方法及び装置を提供することである。
【課題を解決するための手段】
【０００９】
　前記課題を解決するための本発明によるアドレスデータ変調方法は、（ａ）アドレスデータを生成する段階と、（ｂ）前記アドレスデータをエラー訂正のための符号化する段階と、（ｃ）前記符号化されたアドレスデータのうち少なくとも２ビット以上を１単位として第１変調方式によって第１変調信号を生成し、第２変調方式によって第２変調信号を生成する段階と、（ｄ）前記第１変調信号及び前記第２変調信号を合成して単位ウォッブル信号を生成する段階と、を含む。
【００１０】
　前記課題を解決するための本発明によるアドレスデータ変調装置は、アドレスデータを生成するアドレス生成部と、前記アドレス生成部から入力された前記アドレスデータに応答してエラー訂正のための符号化を行うエラー訂正符号化部と、前記エラー訂正符号化部から少なくとも２ビット以上のデータを１単位として入力されて第１変調方式によって第１変調信号を生成し、第２変調方式によって第２変調信号を生成する変調部と、前記変調部から入力された前記第１変調信号及び前記第２変調信号を合成して単位ウォッブル信号を生成するウォッブル生成部と、を含む。
【００１１】
　前記他の課題を解決するための本発明によるアドレスデータ復調方法は、（ａ）少なくとも２ビット以上のデータを１単位として第１変調方式及び第２変調方式によって各々変調されて合成された単位ウォッブル信号を前記第１変調方式で変調された信号は第１復調方式によって前記データを復調して前記第２変調方式で変調された信号は第２復調方式によって前記データを復調する段階と、（ｂ）前記第１復調方式によって復調されたデータ及び前記第２復調方式によって復調されたデータによってデータを決定する段階と、（ｃ）前記第１復調方式によって復調されたデータ及び前記第２復調方式によって復調されたデータが一致しなければ、一致しないデータに対応するイレイザフラグを発生させる段階と、（ｄ）前記（ｂ）段階でのデータ及び前記（ｃ）段階でのイレイザフラグによってエラー訂正復号化してアドレスデータを決定する段階と、を含む。
【００１２】
　前記他の課題を解決するための本発明によるアドレスデータ復調装置は、少なくとも２ビット以上のデータを１単位として第１変調方式及び第２変調方式によって各々変調されて合成された単位ウォッブル信号を入力されて、前記第１変調方式で変調された信号は第１復調方式によって前記データを復調して前記第２変調方式で変調された信号は第２復調方式によって前記データを復調するウォッブル信号復調部と、前記第１復調方式によって復調されたデータ及び前記第２復調方式によって復調されたデータによってデータを決定し、前記第１復調方式によって復調されたデータ及び前記第２復調方式によって復調されたデータが一致しなければ、一致しないデータに対応するイレイザフラグを発生させるデータ決定部と、前記データ決定部から前記決定されたデータ及び前記イレイザフラグを入力されてエラー訂正復号化してアドレスデータを出力するエラー訂正復号部と、を含む。
【発明の効果】
【００１３】
　本発明によるアドレスデータ変調方法及び装置と、このためのアドレスデータ復調方法及び装置は、一つの単位ウォッブル信号当り少なくとも２ビット以上のデータを変調して示すことによってアドレス情報を示すウォッブル信号が成形されるディスクトラック上の物理的長さを短縮して、ディスクに欠陥が発生してもデータの損失が減少させ、より多くのデータをウォッブル形態に記録できてアドレス情報に加えられる情報量を増加させうる。
【発明を実施するための最良の形態】
【００１４】
　以下、添付された図面を参照して本発明による望ましい実施例を説明する。
【００１５】
　本実施例で単位ウォッブル信号とは、ウォッブル生成部１４０から出力される連続的なウォッブル信号でデータスタートを示す所定のパターン信号から次に現れるデータスタートパターン信号の直前までの変調信号である。
【００１６】
　図２及び図３Ａないし図１０Ｄを参照して、本発明によるアドレスデータ変調装置の構成及び動作を説明する。
【００１７】
　図２は、本発明によるアドレスデータ変調装置の実施例を示すブロック図であって、アドレス生成部１１０、エラー訂正符号化部１２０、変調部１３０及びウォッブル生成部１４０を含む。また、変調部１３０は第１変調部１３１及び第２変調部１３３を含む。
【００１８】
　アドレス生成部１１０は、既存の順序によってデータが記録されるアドレスデータを生成する。この時、様々な付加情報が添加されうる。本実施例で使われる一つのアドレスデータのビット数は１記録データブロックの個数及び付加情報によって決定され、一例として３２ビットで構成されうる。
【００１９】
　エラー訂正符号化部１２０は、アドレス生成部１１０からアドレスデータを入力されてエラー訂正のための符号化（ＥＣＣ：Ｅｒｒｏｒ　Ｃｏｒｒｅｃｔｉｏｎ　Ｃｏｄｅ）を行う。エラー訂正符号化方式の一例としてはリ―ドソロモン（ＲＳ：Ｒｅｅｄ　Ｓｏｌｏｍｏｎ）符号化がある。ＲＳ１５、９、７コードに符号化すれば、９シンボルのデータに６シンボルのパリティを加えて総１５シンボルの一つのＲＳコードに符号化される。ＲＳ１５、９、７コードに符号化されたデータは復号時に３シンボルのエラーまで復元され、エラーデータにイレイザフラグのある場合にはパリティ数のような最大６シンボルまでのエラーを訂正しうる。
【００２０】
　変調部１３０は、エラー訂正符号化部１２０から符号化されたデータを入力されて第１変調方式及び第２変調方式によって第１変調信号及び第２変調信号を生成する。本実施例で変調部１３０は２ビット単位でデータを入力されて変調機能を行う。もちろん２ビット以上のデータ単位で処理しても良い。単位ウォッブル信号に２ビットデータを示すためにはエラー訂正符号化部１２０から符号化されたデータが２ビット単位で変調部１３０の第１変調部１３１及び第２変調部１３３に入力される。第１変調部１３１は、既存の変調アルゴリズムによって２ビットのデータを入力されて第１変調方式によって変調を行う。同様に第２変調部１３３も、既存の変調アルゴリズムによって２ビットのデータを入力されて第２変調方式によって変調を行う。
【００２１】
　図３Ａないし図１０Ｄは、本発明によるアドレスデータ変調方法によってアドレスデータ２ビットを示す単位ウォッブル信号の実施例を示す図面である。本実施例で第１変調方式はＢＰＳＫが使われ、第２変調方式はＦＳＫが使われた。
【００２２】
　図３Ａ及び図３Ｂは、本発明によるアドレスデータ変調方法によって生成された単位ウォッブル信号の第１実施例を示す図面であって、単位ウォッブル信号は各々ＢＰＳＫでデータ２ビットスタート及びデータ２ビットを表現し、ＦＳＫでデータ２ビットを表現している。図で各々の小さな四角箱は一つのキャリヤ信号を示し、単位ウォッブル信号はＮ個のキャリヤ信号で構成される。ここでＮは、高密度ＤＶＤ、高密度の小さなサイズのディスクのようなディスク形態及びアドレス情報の表現規格によって異なりうる値である。
【００２３】
　図３Ａ及び図３Ｂに示された単位ウォッブル信号は、ＢＰＳＫ変調を使用して形成された３個のパターン信号及びＦＳＫ変調を使用して形成された２個のパターン信号を利用する。図４Ａないし図４ＣにＢＰＳＫ変調を使用して形成された３個のパターン信号の例が示されている。図４Ａには２ビットのデータスタートを示すパターン信号の例が示されており、図４Ｂにはデータビット値“０”を示すパターン信号の例が示されており、図４Ｃにはデータビット値“１”を示すパターン信号の例が示されている。各パターン信号は８個のキャリヤ信号で構成されている。図５Ａ及び図５ＢにＦＳＫ変調を使用した２パターン信号の例が示されている。図５Ａには周波数ｆを使用してデータビット値“０”を示すパターン信号の例が示されており、図５Ｂには周波数２ｆを使用してデータビット値“１”を示すパターン信号の例が示されている。
【００２４】
　図３ＡにはＢＰＳＫで変調されたデータ２ビットが連続配置された後にＦＳＫで変調されたデータ２ビットが配置された反面、図３Ｂには各々の方式で変調されたデータビットに当る信号が混ぜられて交互に配置された点に差がある。
【００２５】
　図６は、本発明によるアドレスデータ変調方法によって生成された単位ウォッブル信号の第２実施例を示す図面であって、単位ウォッブル信号は各々ＢＰＳＫパターン信号を利用してデータ２ビットスタート及びデータビット値を示し、ＢＰＳＫパターン信号によって区分される各々のビットをＦＳＫ変調方式を使用してデータビット値を表現している。図３Ａ及び図３Ｂの実施例と比較すれば、図６の実施例ではスタートを示すＢＰＳＫパターン信号を別途に形成せずにデータビット値を示す信号自体を利用してスタートを示しているという点が異なる。
【００２６】
　図７Ａ及び図７Ｂは、本発明によるアドレスデータ変調方法によって生成された単位ウォッブル信号の第３実施例を示す図面であって、単位ウォッブル信号は各々ＢＰＳＫパターン信号またはＢＰＳＫパターン信号及びＦＳＫパターン信号によってデータ２ビットスタートを示す。スタート信号の次またはＦＳＫパターン信号の次の位置のような特定位置でＢＰＳＫパターン信号の有無によってデータ２ビットを表現し、同じデータ２ビット値をＦＳＫ変調方式によって重複表現する。本実施例でＢＰＳＫパターン信号は一種だけ存在する。
【００２７】
　図８は、本発明によるアドレスデータ変調方法によって生成された単位ウォッブル信号の第４実施例を示す図面であって、単位ウォッブル信号は各々ＢＰＳＫパターン信号でデータスタートを示し、また他のＢＰＳＫパターン信号の位置情報でデータ２ビットを表現している。ＦＳＫパターン信号はＢＰＳＫパターン信号間の間隔を充填して単位ウォッブル信号を形成する。
【００２８】
　図９Ａ及び図９Ｂは、本発明によるアドレスデータ変調方法によって生成された単位ウォッブル信号の第５実施例を示す図面であって、単位ウォッブル信号は各々ＢＰＳＫパターン信号を利用して各ビットスタートを示したりデータ２ビットスタートを示し、データ２ビット値をＦＳＫ変調方式を使用して表現している。
【００２９】
　図１０Ａないし図１０Ｄは、本発明によるアドレスデータ変調方法によって生成された単位ウォッブル信号の第６実施例を示す図面である。
【００３０】
　図１０Ａは、最初３個のパターン信号によってデータビットスタートを示し、ＦＳＫパターン信号でデータビット値を示し、その間にＢＰＳＫパターン信号を挿入してデータ間を区分する。
【００３１】
　図１０Ｂは、最初のＢＰＳＫパターン信号によってデータビットスタートを示し、ＦＳＫパターン信号の位置情報でデータ２ビットを区分して表現する。そして、データ“０”及びデータ“１”を示す各々のＦＳＫパターン信号を利用して同じデータ２ビットを重複表現し、その間にはＢＰＳＫパターン信号を挿入してデータ間を区分する。
【００３２】
　図１０Ｃは、図１０Ａの単位ウォッブル信号でデータ間を区分するＢＰＳＫパターン信号を除去した点に差がある。
【００３３】
　図１０Ｄは、図１０Ｂの単位ウォッブル信号でデータ間を区分するＢＰＳＫパターン信号を除去した点に差がある。
【００３４】
　一方、前述した第１ないし第６実施例に示された単位ウォッブル信号を構成する各パターン信号を生成するために、第１変調部１３１ではＢＰＳＫ方式で変調されるパターン信号を生成する。第２変調部１３３ではＦＳＫ方式で変調されるパターン信号を生成する。
【００３５】
　ウォッブル生成部１４０は、第１変調部１３１及び第２変調部１３３から生成された各パターン信号を入力されて、既存のアルゴリズムによってこの信号を合成して図３Ａ及び図３Ｂまたは図６ないし図１０Ｄに示された単位ウォッブル信号を生成する。
【００３６】
　以下では、図１１を参照して本発明によるアドレスデータ復調装置の実施例を説明する。図１１は、本発明によるアドレスデータ復調装置を説明するためのブロック図であって、復調部２１０、データ決定部２２０及びエラー訂正復号部２３０を含む。復調部２１０は再び第１復調部２１１及び第２復調部２１２を含む。
【００３７】
　図１１に示された本発明によるアドレスデータ復調装置は、図２に示された本発明によるアドレスデータ変調装置によって変調されたウォッブル信号をディスクから読出して復調する機能を行うので、復調過程は変調過程の逆過程となる。
【００３８】
　復調部２１０には光ヘッドを備える光ピックアップ（図示せず）によってウォッブル形態でアドレス情報が記録されたディスク（図示せず）から読出されたウォッブル信号が入力される。ウォッブル信号は、図３Ａ及び図３Ｂまたは図６ないし図１０Ｄに示された単位ウォッブル信号のうち少なくとも一つの単位ウォッブル信号よりなる。ウォッブル信号は、第１復調部２１１及び第２復調部２１２に共に入力されて各装置で単位ウォッブル信号別に復調される。第１復調部２１１は第１復調方式、例えばＢＰＳＫによってＢＰＳＫ変調された信号を復調し、第２復調部２１２は第２復調方式、例えばＦＳＫによってＦＳＫ変調された信号を復調する。
【００３９】
　データ決定部２２０は、復調部２１０から復調されたデータビット値を入力されてデータを決定する。もし図３Ａまたは図３Ｂのように、２ビットデータが二つの変調方式によって重複変調された場合には第１復調部２１１から２ビットデータ、第２復調部２１２から２ビットデータがデータ決定部２２０に入力される。ところが、第１復調部２１１に入力されたデータビット値及び第２復調部２１２に入力されたデータビット値が相異なる値が存在する場合には、データ決定部２２０は特定位置のデータにエラーがあることを示すイレイザフラグ信号を発生してデータ値と共にエラー訂正復号部２３０に出力する。例えば、第１復調部２１１に入力されたデータビット値が“１０”である反面、第２復調部２１２に入力されたデータビット値が“１１”である場合に、データ決定部２２０は“１０”または“１１”のうち一つのデータ値及び二番目の位置のデータにエラーがあることを示すイレイザフラグ信号をエラー訂正復号部２３０に出力する。イレイザフラグ信号を発生させることによって、エラー訂正復号部２３０によるエラー訂正能力が向上する。
【００４０】
　エラー訂正復号部２３０は、データ決定部２２０からデータ及びイレイザフラグ信号を入力されてエラー訂正復号化を行ってアドレス情報を出力する。エラー訂正復号化方式はエラー訂正符号化方式に従属的であり、例えばリ―ドソロモンコードがある。
【００４１】
　以下では、図２ないし図１０Ｄ及び図１２を参照して、本発明によるアドレスデータ変調方法を説明する。
【００４２】
　図１２は、図２に示された本発明によるアドレスデータ変調装置で行われる本発明によるアドレスデータ変調方法の実施例を示すフローチャートである。
【００４３】
　アドレス生成部１１０によって既存の順序によってデータが記録されるアドレスデータを生成する（第３１０段階）。
【００４４】
　エラー訂正符号化部１２０は、アドレス生成部１１０からアドレスデータを入力されてエラー訂正のための符号化を行う（第３２０段階）。エラー訂正符号化方式ではリ―ドソロモン符号化が使用されうる。
【００４５】
　第３２０段階後に、変調部１３０はエラー訂正符号化部１２０から符号化されたデータを入力されてウォッブル変調を行う（第３３０段階）。図３Ａ及び図３Ｂまたは図６ないし図１０Ｄに本発明によるアドレスデータ変調方法によって生成されたアドレスデータ２ビットを示す単位ウォッブル信号の実施例を示されている。
【００４６】
　ウォッブル生成部１４０は、第１変調部１３１及び第２変調部１３３から生成された各パターン信号を入力されて既存のアルゴリズムによってこの信号を合成して単位ウォッブル信号を生成する（第３４０段階）。
【００４７】
　以下では、図３Ａないし図１１及び図１３を参照して本発明によるアドレスデータ復調方法を説明する。
【００４８】
　図１３は、図１１に示された本発明によるアドレスデータ復調装置で行われる本発明によるアドレスデータ復調方法の実施例を示すフローチャートである。
【００４９】
　復調部２１０には、ディスクから読出されたウォッブル信号が第１復調部２１１及び第２復調部２１２に各々入力されて単位ウォッブル信号別に復調される（第４１０段階）。入力ウォッブル信号は、図３Ａ及び図３Ｂまたは図６ないし図１０Ｄに示された単位ウォッブル信号の実施例のような信号となる。第１復調部２１１では第１復調方式、例えばＢＰＳＫによってＢＰＳＫ変調された信号が復調され、第２復調部２１２では第２復調方式、例えばＦＳＫによってＦＳＫ変調された信号が復調される。
【００５０】
　データ決定部２２０は復調部２１０から復調されたデータビット値を入力されてデータを決定する（第４２０段階）。
【００５１】
　第４２０段階後に、もし第１復調部２１１に入力されたデータビット値及び第２復調部２１２に入力されたデータビット値が相異なる場合には、データ決定部２２０は特定位置のデータにエラーがあることを示すエラーフラグ信号を発生する（第４３０段階）。
【００５２】
　第４３０段階後に、エラー訂正復号部２３０は復調部２１０からデータ値及びエラーがある場合には、エラーフラグ信号を入力されてエラー訂正復号化を行ってエラーが訂正されたアドレスデータを出力する（第４４０段階）。エラー訂正復号化方式ではリ―ドソロモン復号化が使用されうる。
【００５３】
　本発明はコンピュータで読取れる記録媒体にコンピュータで読取れるコードに具現できる。コンピュータで読取れる記録媒体は、コンピュータシステムによって読取れるデータが保存される全ての種類の記録装置を含む。コンピュータで読取れる記録媒体の例では、ＲＯＭ、ＲＡＭ、ＣＤ−ＲＯＭ、磁気テープ、フロッピー（登録商標）ディスク、光データ貯蔵装置があり、またキャリヤウェーブ（例えば、インターネットを介した伝送）の形態で具現されることも含む。また、コンピュータで読取れる記録媒体はネットワークで連結されたコンピュータシステムに分散されて、分散方式でコンピュータで読取れるコードとして保存され、実行できる。
【産業上の利用可能性】
【００５４】
　本発明は記録媒体において、データを記録したり、データが保存された位置を表すアドレスデータを変調または復調しうる。
【図面の簡単な説明】
【００５５】
【図１】従来のウォッブル形態に成形されたディスクトラック及びトラック上に形成されたピットの一実施例を説明するための図である。
【図２】本発明によるアドレスデータ変調装置の一実施例を説明するためのブロック図である。
【図３Ａ】本発明によるアドレスデータ変調方法によって生成された単位ウォッブル信号の第１実施例を説明するための図である。
【図３Ｂ】本発明によるアドレスデータ変調方法によって生成された単位ウォッブル信号の第１実施例を説明するための図である。
【図４Ａ】ＢＰＳＫ変調によるパターン信号の実施例を説明するための図である。
【図４Ｂ】ＢＰＳＫ変調によるパターン信号の実施例を説明するための図である。
【図４Ｃ】ＢＰＳＫ変調によるパターン信号の実施例を説明するための図である。
【図５Ａ】ＦＳＫ変調によるパターン信号の実施例を説明するための図である。
【図５Ｂ】ＦＳＫ変調によるパターン信号の実施例を説明するための図である。
【図６】本発明によるアドレスデータ変調方法によって生成された単位ウォッブル信号の第２実施例を説明するための図である。
【図７Ａ】本発明によるアドレスデータ変調方法によって生成された単位ウォッブル信号の第３実施例を説明するための図である。
【図７Ｂ】本発明によるアドレスデータ変調方法によって生成された単位ウォッブル信号の第３実施例を説明するための図である。
【図８】本発明によるアドレスデータ変調方法によって生成された単位ウォッブル信号の第４実施例を説明するための図である。
【図９Ａ】本発明によるアドレスデータ変調方法によって生成された単位ウォッブル信号の第５実施例を説明するための図である。
【図９Ｂ】本発明によるアドレスデータ変調方法によって生成された単位ウォッブル信号の第５実施例を説明するための図である。
【図１０Ａ】本発明によるアドレスデータ変調方法によって生成された単位ウォッブル信号の第６実施例を説明するための図である。
【図１０Ｂ】本発明によるアドレスデータ変調方法によって生成された単位ウォッブル信号の第６実施例を説明するための図である。
【図１０Ｃ】本発明によるアドレスデータ変調方法によって生成された単位ウォッブル信号の第６実施例を説明するための図である。
【図１０Ｄ】本発明によるアドレスデータ変調方法によって生成された単位ウォッブル信号の第６実施例を説明するための図である。
【図１１】本発明によるアドレスデータ復調装置の一実施例を説明するためのブロック図である。
【図１２】本発明によるアドレスデータ変調方法の実施例を説明するためのフローチャートである。
【図１３】本発明によるアドレスデータ復調方法の実施例を説明するためのフローチャートである。
【符号の説明】
【００５６】
１１０　アドレス生成部
１２０　エラー訂正符号化部
１３０　変調部
１３１　第１変調部
１３３　第２変調部
１４０　ウォッブル生成部
【図１】
2004079160.tif 000003
【図２】
2004079160.tif 000004
【図３Ａ】
2004079160.tif 000005
【図３Ｂ】
2004079160.tif 000006
【図４Ａ】
2004079160.tif 000007
【図４Ｂ】
2004079160.tif 000008
【図４Ｃ】
2004079160.tif 000009
【図５Ａ】
2004079160.tif 000010
【図５Ｂ】
2004079160.tif 000011
【図６】
2004079160.tif 000012
【図７Ａ】
2004079160.tif 000013
【図７Ｂ】
2004079160.tif 000014
【図８】
2004079160.tif 000015
【図９Ａ】
2004079160.tif 000016
【図９Ｂ】
2004079160.tif 000017
【図１０Ａ】
2004079160.tif 000018
【図１０Ｂ】
2004079160.tif 000019
【図１０Ｃ】
2004079160.tif 000020
【図１０Ｄ】
2004079160.tif 000021
【図１１】
2004079160.tif 000022
【図１２】
2004079160.tif 000023
【図１３】
2004079160.tif 000024